(57)【特許請求の範囲】
【請求項１】
容器の口部に保持され、内容物を注出するための注出開口を有するキャップ本体と、該キャップ本体の後方側に設けた第１ヒンジ部を介して開閉可能に連結される蓋体と、該蓋体の天壁に設けた第２ヒンジ部を介して前後方向に揺動可能に連結される揺動体とを備え、
未開栓の前記蓋体に対して予め後方側に揺動させた状態で保持された前記揺動体を、前方側に揺動させるとともに該蓋体に対して係合させることにより、該揺動体の先端部に設けた指掛け片が該蓋体の前方側に配置され、
該指掛け片を引き上げることにより該蓋体が開栓されるよう構成されており、
前記蓋体は、前記揺動体の位置に関わらず前記注出開口を閉塞可能であることを特徴とするヒンジキャップ。
【請求項２】
前記キャップ本体、前記蓋体、及び前記揺動体が全て一体に成形されてなる、請求項１に記載のヒンジキャップ。
【請求項３】
前記蓋体の天壁には、後方側に揺動させた前記揺動体を収容する後方凹部が設けられ、
該後方凹部には、後方側に揺動させた前記揺動体を係合保持する凸部が設けられている、請求項１又は２に記載のヒンジキャップ。
【発明の詳細な説明】
【技術分野】
【０００１】
本発明は、ヒンジキャップに関するものであり、特には、蓋体が開栓されたか否かを容易に確認することができるようにしたものである。
【背景技術】
【０００２】
容器の口部に装着されるキャップ本体と、当該キャップ本体に合わさりヒンジを介して揺動可能に連結される蓋体とを備えた所謂ヒンジキャップは、片手によって蓋体を簡単に開閉できる利点があり、また、蓋体の紛失を防止できることから、調味料用の容器や薬品用の容器、シャンプー、リンスを入れる容器等幅広い分野において利用されている。
【０００３】
ところで、ヒンジキャップ付きの容器は、商品の流通段階で不正な開栓がなされたことが確認できるように、容器全体をシュリンクフィルムで覆うことや、一旦剥がすと表示の一部が糊残りして再度の貼り付けが判別できるようにしたシールを蓋体に貼り付けることが行われている。また、例えば特許文献１のように、キャップの周壁前面に係合突条を設け、蓋体にこれを覆う覆合板を連結させて、この覆合板を取り外さなければ蓋体を開くことができないようにした、バージン機能付きのヒンジキャップを用いる場合もある。
【先行技術文献】
【特許文献】
【０００４】
【特許文献１】特開２００６−１５１４７８号公報
【発明の概要】
【発明が解決しようとする課題】
【０００５】
しかしながら、シュリンクフィルムやシールを用いる場合には、材料コストが増加する上、これらを取り付ける後工程に係るコストの増加も避けられない。一方、上記のような従来のヒンジキャップにおいては、コストを抑えることができるものの、覆合板は、係合突条を覆うためにキャップの外表面に沿った形状をなしていることもあって、その存在の有無が視認し難い場合があった。
【０００６】
それゆえ本発明は、蓋体の開栓がなされたことが容易に確認することができる新たな構造のヒンジキャップを提供することを目的とする。
【課題を解決するための手段】
【０００７】
本発明は、上記課題を解決するためになされたものであり、本発明のヒンジキャップは、容器の口部に保持され、内容物を注出するための注出開口を有するキャップ本体と、該キャップ本体の後方側に設けた第１ヒンジ部を介して開閉可能に連結される蓋体と、該蓋体の天壁に設けた第２ヒンジ部を介して前後方向に揺動可能に連結される揺動体とを備え、未開栓の前記蓋体に対して予め後方側に揺動させた状態で保持された前記揺動体を、前方側に揺動させるとともに該蓋体に対して係合させることにより、該揺動体の先端部に設けた指掛け片が該蓋体の前方側に配置され、該指掛け片を引き上げることにより該蓋体が開栓されることを特徴とする。
【０００８】
また、本発明のヒンジキャップにあっては、前記キャップ本体、前記蓋体、及び前記揺動体が全て一体に成形されることが好ましい。
【０００９】
また、本発明のヒンジキャップにあっては、前記蓋体の天壁には、後方側に揺動させた前記揺動体を収容する後方凹部が設けられ、
該後方凹部には、後方側に揺動させた前記揺動体を係合保持する凸部が設けられていることが好ましい。
【発明の効果】
【００１０】
本発明によれば、蓋体の開栓がなされたことが容易に確認することができる新たな構造のヒンジキャップを提供することが可能となる。
【図面の簡単な説明】
【００１１】
【図１】本発明の一実施形態であるヒンジキャップの、側面視での断面図である。
【図２】（ａ）は、図１のヒンジキャップの、成形直後の平面図であり、（ｂ）は、底面図である。
【発明を実施するための形態】
【００１２】
以下、図面を参照して、本発明をより具体的に例示説明する。なお、本明細書、特許請求の範囲、及び要約書において、「上」とは、蓋体を閉鎖した状態において、キャップ本体に対して蓋体が位置する側であり、「下」とは、その反対側である。また「後」とは第１ヒンジ部を設けた側であり、「前」とは、その反対側である。
【００１３】
図１は、本発明の一実施形態に係るヒンジキャップ１の、側面視における断面図である。ヒンジキャップ１は、容器２の口部２ａに保持されるキャップ本体３と、キャップ本体３の後方側に設けた第１ヒンジ部４を介して開閉可能に連結された蓋体５と、を備える。なお、容器２の形状は特に限定されるものではなく、内部に液体、粒状体、粉体等の任意の内容物を収容することができる。
【００１４】
キャップ本体３は、口部２ａを取り囲む円筒状の外側壁６と、外側壁６の上端部を覆う隔壁７を備える。外側壁６の内面には、口部２ａの外向き爪部２ｂに係合する内向き爪部６ａを設けていて、キャップ本体３を容器２に抜け止め保持している。また、外側壁６の径方向内側に間隔を開けて設けられた円筒状の内側壁８は、口部２ａの内側に配置される。隔壁７には、上方に突出する注出筒９が設けられ、その内側に、容器２の内容物を注出するための注出開口１０が形成されている。なお、内容物に応じて、注出開口１０の大きさは適宜設定可能であり、注出筒９の有無も適宜選択可能である。
【００１５】
蓋体５は、外側壁６に連なる周壁１１と、周壁１１の内側でキャップ本体３を覆う天壁１２とを備える。本実施形態において、周壁１１は、第１ヒンジ部４によって外側壁６に連結されており、外側壁６と同径とされている。また、周壁１１は外側壁６から上方に突出する隔壁７の外縁を取り囲むように配置されており、これにより、キャップ本体３に対する蓋体５の位置を安定させている。天壁１２の上面には、第２ヒンジ部１３を介して前後方向に揺動可能に連結される揺動体１４が設けられている。なお、本実施形態においては、キャップ本体３、蓋体５、及び揺動体１４が全て一体に成形されている。
【００１６】
揺動体１４は、第２ヒンジ部１３から延びる平坦な板状部１５を有し、その先端部には、異なる方向に突出する係合部１６と指掛け片１７が設けられている。天壁１２の下面には、蓋体５を閉じた状態で注出筒９の内側に入り込み、注出開口１０を閉塞する閉塞栓１８が設けられている。閉塞栓１８の先端部外周面には、抜け止め用の突起１８ａが設けられている。
【００１７】
また、天壁１２には、前方側に揺動させた揺動体１４を収容するための前方凹部１９と、後方側に揺動させた揺動体１４を収容するための後方凹部２０とが形成されている。前方凹部１９を設けた領域において、天壁１２は、第２ヒンジ部１３から前方に向かって下方に傾斜しており、後方凹部２０を設けた領域において、天壁１２は、第２ヒンジ部１３から後方に向かって下方に傾斜している。また、前方凹部１９の前端部には、前方側に突出する係合爪部２１が設けられている。揺動体１４を前方側に揺動させ、係合部１６に設けた開口１６ａに係合爪部２１が挿入されると、係合部１６と係合爪部２１が係合することにより揺動体１４が蓋体５に対して固定される。このとき、指掛け片１７が蓋体５の前方側に配置される。なお、本実施形態においては、係合部１６と係合爪部２１は、解除不能に係合する構成とされている。
【００１８】
後方凹部２０の側面２０ａには、凸部２２が両側に設けられており、後方側に揺動させた揺動体１４を着脱可能に係合保持することができる。なお、凸部２２は何れか一方側の側面２０ａのみに設けても良く、形状や位置も特に限定されるものではない。
【００１９】
ここで、図２（ａ）、（ｂ）はそれぞれ、成形直後のヒンジキャップ１の平面図及び底面図であり、蓋体５はキャップ本体３に対して１８０°開いた状態であり、揺動体１４は前方凹部１９及び後方凹部２０に収容されず、中央付近に位置する。
【００２０】
本実施形態のヒンジキャップ１は、成形後、キャップ本体３に対して蓋体５を閉じるとともに、揺動体１４を後方凹部２０に収容して凸部２２で係合保持した状態で、内容物を収容した容器２の口部２ａに打栓され、流通、保管される。揺動体１４を後方凹部２０に収容した未開栓の状態では、指掛け片１７が蓋体５の前方側に配置されないため、指を掛けることができず、蓋体５を開栓することができない。
【００２１】
そして、蓋体５を開栓する場合には、凸部２２の係合を解除しつつ、揺動体１４を最大まで前方側に揺動させ、係合部１６を係合爪部２１に係合させる。これにより、揺動体１４が蓋体５に対して固定されるため、蓋体５の前方側に配置された指掛け片１７を上方に引き上げることにより、蓋体５を持ち上げることが可能となる。蓋体５は、第１ヒンジ部４を支点として開き、閉塞栓１８が注出筒９から引き抜かれて注出開口１０が解放され、内容物の注出が可能となる。
【００２２】
以上のような構成を有する本実施形態のヒンジキャップ１にあっては、予め後方側に揺動させた状態で保持された揺動体１４を、前方側に揺動させるとともに蓋体５に対して係合させることで蓋体５を開くことが可能となる構成としたことにより、揺動体１４の位置を見るだけで、蓋体５の開栓がなされたことが容易に確認することができる。また、揺動体１４が後方側に揺動した状態では、蓋体５の前方側に指掛け片１７が存在しないため、意図しない開栓を防止することができる。また、蓋体５を開栓する際に、ヒンジキャップ１の一部を切り離すことがないので、除去した部分を廃棄する手間も不要となる。
【００２３】
また、本実施形態のヒンジキャップ１にあっては、キャップ本体３、蓋体５、及び揺動体１４が全て一体に成形された一体成形物であるため、部品点数の増加を防ぎ、コストを抑制することができる。
【００２４】
また、本実施形態のヒンジキャップ１にあっては、蓋体５の天壁１２に後方凹部２０を設けるとともに、後方凹部２０に、揺動体１４を係合保持する凸部２２を設けたことにより、流通、保管時において揺動体１４を外部から接触し難くして、不正に揺動体１４が操作されることを防止するとともに、揺動体１４が露出することで外観が悪化することを防止することができる。
【００２５】
また、本実施形態のヒンジキャップ１にあっては、第２ヒンジ部１３を蓋体５の中心よりも前方側に設けたことにより、揺動体１４を前方側に揺動させた時には指掛け片１７が蓋体５の前方側に配置され、後方側に揺動させた時には指掛け片１７が蓋体５の径方向外側に露出しない構成として、揺動体１４を設けたことによる外観の悪化を避けることができるとともに、凸部２２に係合保持された揺動体１４が、意図せず前方側へ揺動してしまうことを抑制することができる。
【００２６】
以上、図示例に基づき説明したが、本発明は上述の実施形態に限定されるものでなく、特許請求の範囲の記載範囲内で適宜変更することができるものであり、例えば、容器２の口部２ａと、キャップ本体３の外側壁６とを、ねじ係合する構成としても良い。また、揺動体１４を後方凹部２０に収容した未開栓状態で、さらにシュリンクフィルムを巻き付け、不正な開栓を防止する効果を高めることも可能である。
【符号の説明】
【００２７】
１  ヒンジキャップ
２  容器
２ａ  口部
２ｂ  外向き爪部
３  キャップ本体
４  第１ヒンジ部
５  蓋体
６  外側壁
６ａ  内向き爪部
７  隔壁
８  内側壁
９  注出筒
１０  注出開口
１１  周壁
１２  天壁
１３  第２ヒンジ部
１４  揺動体
１５  板状部
１６  係合部
１６ａ  開口
１７  指掛け片
１８  閉塞栓
１９  前方凹部
２０  後方凹部
２１  係合爪部
２２  凸部
【図１】
0006382070.tif 000002
【図２】
0006382070.tif 000003